(57)【要約】【課題】スポイラおよびヨーク形状、またその固定方法について設計自由度を増すとともに、ディスク側の磁束漏洩を防止し、高性能で信頼性の向上したディスク装置を提供する。【解決手段】ディスク装置は、底壁１２ａを有するベース１２を備えたケースと、前記ベースの底壁上に設けられた駆動モータと、前記駆動モータにより回転される複数のディスク状の記録媒体１６と、前記記録媒体に対して情報処理を行うヘッドと、前記ベースの底壁上に設けられ、前記ヘッドを前記記録媒体に対して移動自在に支持したキャリッジと、前記ベースの底壁上に設けられたヨーク３８および磁石４０を有し、前記キャリッジを駆動する駆動部２４と、前記ヨークと記録媒体との間に設けられた磁気シールド部材５６を有する本体５２と、この本体から隣合う前記記録媒体の間に延出する整流板５４と、を有するスポイラ５０と、を備えている。【選択図】図３
2013149326.tif 000002
【特許請求の範囲】
【請求項１】
底壁を有するベースを備えたケースと、
前記ベースの底壁上に設けられた駆動モータと、
前記駆動モータにより回転される複数のディスク状の記録媒体と、
前記記録媒体に対して情報処理を行うヘッドと、
前記ベースの底壁上に設けられ、前記ヘッドを前記記録媒体に対して移動自在に支持したキャリッジと、
前記ベースの底壁上に設けられたヨークおよび磁石を有し、前記キャリッジを駆動する駆動部と、
前記ヨークと記録媒体との間に設けられた磁気シールド部材を有する本体と、この本体から隣合う前記記録媒体の間に延出する整流板と、を有するスポイラと、
を備えるディスク装置。
【請求項２】
前記駆動部は、前記底壁上に設けられたボトムヨークと、このボトムヨークに隙間を置いて対向するトップヨークと、少なくとも前記ボトムヨーク上に設けられた磁石と、を有し、前記スポイラの磁気シールド部材は、板状に形成され、前記記録媒体の周縁部に対向しているとともに前記ボトムヨークとトップヨークとの間に設けられている請求項１に記載のディスク装置。
【請求項３】
前記ボトムヨークは、トップヨーク側に突出する当接リブと有し、前記トップヨークは、前記ボトムヨーク側に突出する当接リブを有し、前記シールド部材は、前記当接リブ間に挟まれ、前記ボトムヨークおよびトップヨークに磁気的に接続されている請求項２に記載のディスク装置。
【請求項４】
前記スポイラは、前記本体から延出している固定部と、この固定部から延出し前記底壁に回転自在に挿通された支持軸と、を一体に有している請求項１ないし３のいずれか１項に記載のディスク装置。
【請求項５】
前記固定部は、前記底壁にねじ込まれる固定ねじが挿通された透孔を有している請求項４に記載のディスク装置。
【請求項６】
前記ボトムヨークは、前記記録媒体の外周縁近傍で、前記底壁にねじ止めされた端部を有している請求項１ないし５のいずれか１項に記載のディスク装置。
【発明の詳細な説明】
【技術分野】
【０００１】
この発明の実施形態は、高速で回転するディスク状の記録媒体を備えたディスク装置に関する。
【背景技術】
【０００２】
一般に、磁気ディスク装置、例えば、ハードディスクドライブ（以下、ＨＤＤと称する）は、磁気ディスク、磁気ディスクを回転駆動するスピンドルモータ、磁気ディスクに対してデータのリード／ライトを行う磁気ヘッド、磁気ヘッドを支持したキャリッジ、キャリッジを駆動するボイスコイルモータ、基板ユニット等を備え、これらはほぼ密閉構造の筐体に収容されている。スピンドルモータ、キャリッジ、ボイスコイルモータ等の駆動部、および基板ユニットは、筺体の底壁上に搭載されている。
【０００３】
磁気ディスク装置において、高速なデータ処理を行うためには磁気ディスクの回転数を上げる必要がある。しかし、磁気ディスクが高速回転すると、磁気ディスクと同一回転方向の気流が発生し、この気流の乱れにより磁気ディスクが振動するディスクフラッターと呼ばれる現象が生じる。また、磁気ヘッドを支持したキャリッジに風外乱が作用し、キャリッジの変位が生じる。この場合、磁気ディスクに対する磁気ヘッドの位置決め精度が低下し、記録密度の向上に支障を生じる。このような磁気ディスクの高速回転に伴う乱流の発生を抑制するため、磁気ディスク間に整流板としてスポイラを設置する磁気ディスク装置が提案されている。
【０００４】
また、サーバー用途等に使用されるエンタープライズ・ニアラインＨＤＤでは、キャリッジの高速シークに対応できるよう、ボイスコイルモータは、強力な磁力を持った磁気回路が使用される。そこから生じる外部への漏洩磁束は、ボイスコイルモータのトップヨークあるいはボトムヨークを折り曲げて構成されたリターンヨーク形状により防止するのが一般的な従来構造である。
【先行技術文献】
【特許文献】
【０００５】
【特許文献１】特開２０１０−１３４９８８号公報
【発明の概要】
【発明が解決しようとする課題】
【０００６】
リターンヨークでディスク側への漏洩磁束を防止する場合、磁気ディスク近傍にリターンヨークを設けなければならない。同時にスポイラを適用する場合を想定すると、リターンヨークとスポイラが組立時または配置時に干渉することに配慮しなければならない。従来構成では、漏洩磁束を防ぎつつ、スポイラも適用する構成を実現しようとする場合、その配置が非常に困難となり、スポイラおよびヨーク形状、またその固定方法に設計制約を受ける。
【０００７】
そこで、この発明の課題は、スポイラおよびヨーク形状、またその固定方法について設計自由度が増すとともに、ディスク側の磁束漏洩を防止し、高性能で信頼性の向上したディスク装置を提供することにある。
【課題を解決するための手段】
【０００８】
実施形態によれば、ディスク装置は、底壁を有するベースを備えたケースと、前記ベースの底壁上に設けられた駆動モータと、前記駆動モータにより回転される複数のディスク状の記録媒体と、前記記録媒体に対して情報処理を行うヘッドと、前記ベースの底壁上に設けられ、前記ヘッドを前記記録媒体に対して移動自在に支持したキャリッジと、前記ベースの底壁上に設けられたヨークおよび磁石を有し、前記キャリッジを駆動する駆動部と、前記ヨークと記録媒体との間に設けられた磁気シールド部材を有する本体と、この本体から隣合う前記記録媒体の間に延出する整流板と、を有するスポイラと、を備える。
【図面の簡単な説明】
【０００９】
【図１】図１は、第１の実施形態に係る磁気ディスク装置（ＨＤＤ）を、そのトップカバーを取外して示す斜視図。
【図２】図２は、キャリッジアッセンブリが設けられている側のＨＤＤの約半分を示す平面図。
【図３】図３は、図１の線Ａ−Ａに沿ったＶＣＭ部分、スポイラを含むＨＤＤの断面図。
【図４】図４は、ＶＣＭのヨークを示す斜視図。
【図５】図５は、前記スポイラを拡大して示す斜視図。
【図６】図６は、前記ＨＤＤの組立て工程において、スポイラを装着した状態を概略的に示す平面図。
【図７】図７は、前記ＨＤＤの組立て工程において、スポイラを磁気ディスク間に設置し、ボトムヨークをケース底壁上に設置した状態を概略的に示す平面図。
【図８】図８は、前記ＨＤＤの組立て工程において、ボトムヨークをスポイラの下に配置した状態を示す平面図。
【図９】図９は、前記ＨＤＤの組立て工程において、ボトムヨーク上にトップヨークを配置し固定した状態を示す平面図。
【図１０】図１０は、第２の実施形態に係るＨＤＤの組立て工程において、ボトムヨークおよびスポイラを設置する工程を示す平面図。
【図１１】図１１は、第２の実施形態に係るＨＤＤの組立て工程において、ボトムヨークおよびスポイラを所定位置に配置した状態を示す平面図。
【図１２】図１２は、前記ＨＤＤの組立て工程において、ボトムヨーク上にトップヨークを配置し固定した状態を示す平面図。
【図１３】図１３は、前記ＨＤＤのヨークおよび板金を示す斜視図。
【図１４】図１４は、板金を持たない比較例に係るヨークについて、漏洩磁束密度分布のシミュレーション結果を示す図。
【図１５】図１５は、第１の実施形態に係るＨＤＤについて、漏洩磁束密度分布のシミュレーション結果を示す図。
【図１６】図１６は、第２の実施形態に係るＨＤＤについて、漏洩磁束密度分布のシミュレーション結果を示す図。
【発明を実施するための形態】
【００１０】
以下図面を参照しながら、実施形態に係るＨＤＤについて説明する。  
（第１の実施形態）  
図１ないし図５は、第１の実施形態に係るＨＤＤを示している。図１、図２、および図３に示すように、ＨＤＤはケース（筐体）１０を備えている。ケース１０は、上面の開口した矩形箱状のベース１２と、複数のねじによりベースにねじ止めされてベースの上端開口を閉塞するトップカバー１３（図３）と、を有している。ベース１２は、矩形状の底壁１２ａと、底壁の周縁に沿って立設された側壁１２ｂとを有している。このベース１２は、アルミニウム等の金属のダイキャストにより一体的に形成されている。
【００１１】
ケース１０内には、ベース１２の底壁１２ａに取り付けられ駆動モータとして機能するスピンドルモータ１８と、このスピンドルモータによって支持および回転される複数枚、例えば、３枚の磁気ディスク１６とが配設されている。また、ケース１０内には、磁気ディスク１６に対して情報の記録、再生を行なう複数、例えば、６つの磁気ヘッド１７、これらの磁気ヘッドを磁気ディスク１６に対して移動自在に支持したキャリッジアッセンブリ２２、キャリッジアッセンブリを回動および位置決めするボイスコイルモータ（以下ＶＣＭと称する）２４、磁気ヘッドが磁気ディスクの最外周に移動した際、磁気ヘッドを磁気ディスクから離間した退避位置に保持するランプロード機構２５、ＨＤＤに衝撃等が作用した際、キャリッジアッセンブリ２２を退避位置に保持するイナーシャラッチ機構２７、およびプリアンプ等を有する基板ユニット２１が収納されている。
【００１２】
ベース１２の底壁１２ａ外面には、図示しないプリント回路基板がねじ止めされている。プリント回路基板は、基板ユニット２１を介して、スピンドルモータ１８、ＶＣＭ２４、および磁気ヘッドの動作を制御する制御部を構成している。
【００１３】
記録媒体としての各磁気ディスク１６は、例えば、直径６５ｍｍ（２．５インチ）に形成され、上面および下面に磁気記録層を有している。３枚の磁気ディスク１６は、スピンドルモータ１８の図示しないハブに互いに同軸的に嵌合され、隙間を置いて積層配置されている。磁気ディスク１６は、クランプばね２３によりクランプされ、ハブに固定されている。これにより、磁気ディスク１６は、ベース１２の底壁１２ａと平行に位置した状態に支持されている。そして、磁気ディスク１６は、スピンドルモータ１８により所定の速度、例えば、５４００ｒｐｍあるいは７２００ｒｐｍの速度で矢印Ｂ方向に回転される。
【００１４】
ベース１２の側壁１２ｂの内、ベース１２の長手方向のほぼ半分の領域に位置した側壁１２ｂは、磁気ディスク１６の外周縁を囲んで位置している。側壁１２ｂは底壁１２ａに対してほぼ垂直に起立した対向面１２ｃを有し、この対向面１２ｃは、磁気ディスク１６の外周縁に沿って連続的に延びた円弧状に形成され、磁気ディスクの外周縁に僅かな隙間を置いて対向している。これにより、対向面１２ｃを有した側壁１２ｂは、磁気ディスク１６に対してシュラウドを構成している。
【００１５】
図１および図２に示すように、キャリッジアッセンブリ２２は、ベース１２の底壁１２ａ上に固定された軸受部２６と、軸受部から延出した６本のアーム２８と、を備えている。軸受部２６は、ベース１２の長手方向に沿って磁気ディスク１６の回転中心から離間して位置しているとともに、磁気ディスクの外周縁近傍に位置している。６本のアーム２８は、磁気ディスク１６の表面と平行に、かつ、互いに所定の間隔を置いて位置しているとともに、軸受部２６から同一の方向へ延出している。キャリッジアッセンブリ２２は、弾性変形可能な細長い板状のサスペンション３０を備えている。サスペンション３０は、板ばねにより構成され、その基端がスポット溶接あるいは接着によりアーム２８の先端に固定され、アームから延出している。なお、各サスペンション３０は対応するアーム２８と一体に形成されていてもよい。
【００１６】
サスペンション３０の延出端に磁気ヘッド１７が取り付けられている。磁気ヘッド１７は、ほぼ矩形状のスライダとこのスライダに形成された記録再生用のＭＲ（磁気抵抗）ヘッドとを有し、サスペンション３０の先端部に形成されたジンバル部に固定されている。それぞれサスペンション３０に取り付けられた６つの磁気ヘッド１７は、２個ずつ互いに向かい合って位置し、各磁気ディスク１６を両面側から挟むように配設されている。
【００１７】
キャリッジアッセンブリ２２は、軸受部２６からアーム２８と反対の方向へ延出した支持枠３４を有し、この支持枠により、ＶＣＭ２４の一部を構成するボイスコイル３６が支持されている。支持枠３４は、合成樹脂によりボイスコイル３６の外周に一体的に成形されている。
【００１８】
図１ないし図４に示すように、駆動部として機能するＶＣＭ２４は、ヨーク３８およびこのヨークに取り付けられた磁石を有している。すなわち、ヨーク３８は、ベース１２の底壁１２ａ上に配置された板状のボトムヨーク３８ａ、ボトムヨークと隙間を置いて平行に対向し、ベース１２の上面開口側に位置した板状のトップヨーク３８ｂ、および、これらボトムヨークとトップヨークとを連結するリターンヨーク３８ｃ、３８ｄを有している。リターンヨーク３８ｃ、３８ｄは、トップヨーク３８ｂの一部を折り曲げて形成され、その先端がボトムヨークに当接している。リターンヨーク３８ｃ、３８ｄは、ヨーク３８の中央部外側、および、ヨークの磁気ディスク１６から離れた端にそれぞれ設けられている。ヨーク３８の他端は、磁気ディスク１６の外周縁近傍に位置している。なお、リターンヨーク３８ｃ、３８ｄは、ボトムヨーク３８ａの一部を折り曲げて構成してもよい。
【００１９】
磁石４０は、板状に形成され、ボトムヨーク３８ａおよびトップヨーク３８ｂの内面にそれぞれ固定され、互いに隙間を置いて対向している。キャリッジアッセンブリ２２に取り付けられたボイスコイル３６は、２つの磁石４０間に配置されている。
【００２０】
ボイスコイル３６に通電することにより、軸受部２６の回りでキャリッジアッセンブリ２２が矢印Ｃ方向に回動し、磁気ヘッド１７は磁気ディスク１６の所望のトラック上に移動および位置決めされる。これにより、磁気ヘッド１７は、磁気ディスク１６に対して情報の書き込みあるいは読み出しを行うことができる。キャリッジアッセンブリ２２およびＶＣＭ２４はヘッドアクチュエータを構成している。
【００２１】
ランプロード機構２５は、ベース１２の底壁１２ａに設けられているとともに磁気ディスク１６の外側に配置されたランプ４２と、各サスペンション３０の先端から延出したタブ４４と、を備えている。ランプ４２は、磁気ディスク１６の回転方向Ｂに関して、軸受部２６の下流側に位置している。キャリッジアッセンブリ２２が回動し、磁気ヘッド１７が磁気ディスク１６の外側の退避位置まで回動する際、各タブ４４は、ランプ４２に形成されたランプ面と係合し、その後、ランプ面の傾斜によって引き上げられ、磁気ヘッド１７をアンロードする。
【００２２】
基板ユニット２１は、フレキシブルプリント回路基板により形成された本体２１ａを有し、この本体２１ａはベース１２の底壁１２ａに固定されている。本体２１ａ上にはヘッドアンプ等の電子部品が実装されている。基板ユニット２１は本体２１ａから延出したメインフレキシブルプリント回路基板（以下、メインＦＰＣと称する）２１ｂを有している。メインＦＰＣ２１ｂの延出端は、キャリッジアッセンブリ２２の軸受部２６近傍に接続され、更に、アーム２８およびサスペンション３０上に設けられた図示しないケーブルを介して磁気ヘッド１７に電気的に接続されている。基板ユニット２１の本体底面にはプリント回路基板と接続するための図示しないコネクタが実装されている。
【００２３】
図１に示すように、ＨＤＤは、ベース１２に形成された通気孔からケース１０内に流入する外気の塵挨、湿気、ガス成分を除去する呼吸フィルタ４６、および可動部の稼動によってケース内に発生した塵埃を捕獲する循環フィルタ４８を備えている。これらの呼吸フィルタ４６および循環フィルタ４８は、磁気ディスク１６の周囲に配設されている。
【００２４】
図１ないし図３および図５に示すように、ＨＤＤは、磁気ディスク１６間に生じる空気流を整流するスポイラ５０を備えている。スポイラ５０は、板状の本体５２と、この本体からそれぞれ垂直に延出している複数、例えば、３枚の整流板（翼）５４と、を有し、合成樹脂等により一体に成形されている。本体５２内に、磁性体で形成された矩形状の板金（シールド板、シールド部材）５６が埋め込まれ、本体５２と平行に配置されている。板金５６の上端縁および下端縁は、それぞれ本体５２の上端および下端に露出している。また、スポイラ５０は、本体５２から側方に突出する固定部６０を一体に有している。固定部６０には、固定ねじを挿通可能な透孔６１および本体５２と平行に延びる支持軸６２が形成されている。
【００２５】
スポイラ５０の本体５２は、ボトムヨーク３８ａの端部とトップヨーク３８ｂの端部との間に挟まれて配置されている。これにより、本体５２および板金５６は、磁気ディスク１６の外周縁近傍に位置し、磁気ディスク外周縁の接線方向に対し平行に位置している。本体５２および板金５６は、ベース１２の底壁１２ａに対して、ほぼ垂直に立設されている。本体５２は、ベース１２内において、キャリッジアッセンブリ２２の軸受部２６と側壁１２ｂとの間にシュラウドを形成している。固定部６０は、支持軸６２を底壁１２ａに形成された係合孔に挿入することにより、更にトップヨーク３８ｂの磁気ディスク側の端部に形成された透孔、および固定部６０の透孔６１を通して底壁１２ａに固定ねじ７２をねじ込むことにより、固定部６０はヨーク３８および底壁１２ａに固定されている。
【００２６】
スポイラ５０の整流板５４は、本体５２から垂直に延出し、磁気ディスク１６の中心部に向かって延びている。それぞれ磁気ディスク１６の表面と平行な方向に延びている。整流板５４は、スピンドルモータ１８の軸方向に３段に並んで、かつ、互いに隙間を置いて配置されている。そして、１段目の整流板５４は、トップカバー１３と１段目の磁気ディスク１６との間に配置され、２段目の整流板５４は、１段目の磁気ディスク１６と２段目の磁気ディスクとの間に配置され、３段目の整流板５４は、２段目の磁気ディスクと３段目の磁気ディスクとの間に配置されている。
【００２７】
スポイラ５０の整流板５４は、ディスク回転に伴う内部流れを整流し、ディスクフラッタの低減、キャリッジのロード時における外乱を低減する。これにより、高回転数ＨＤＤや記録容量の高密度化を実現している。また、スポイラ５０の板金５６は、ＶＣＭ２４から磁気ディスク１６側への漏洩磁束を防止する。これにより、従来ではこの部分に形成されていたリターンヨークが不要となる。
【００２８】
図６ないし図９は、上記のように構成されたＨＤＤの組立て工程を示し、スポイラ５０およびヨーク３８の組立て方法について順に説明する。第１の実施形態は前述のスポイラ５０の回転挿入組立を適用する場合の磁気回路構成の実施例である。最初に、図６に示すように、スピンドルモータ１８および磁気ディスク１６をベース１２に取付け、次に、磁気ディスク１６の外周縁と干渉しない位置に上部からスポイラ５０をベース１２の底壁上に配置する。その際、スポイラ５０の支持軸６２は、底壁１２ａに設けられている係合孔に挿入される。
【００２９】
図６および図７に示すように、スポイラ５０は支持軸６２を中心に図６中の矢印Ｃの向きに図７に示す位置まで回転し、整流板５４が磁気ディスク１６間へ挿入する。その後、ボトムヨーク３８ａを上部から底壁１２ａ上に配置し、更に、図７の矢印Ｄの向きに図８に示す位置までスライドさせ、ボトムヨーク３８ａの磁気ディスク１６側の端の一部をスポイラ５０の本体５２および板金５６と底壁１２ａとの間に配置させる。次いで、ボトムヨーク３８ａの両端部をベースの底壁にねじ止めする。
【００３０】
次いで、図９に示すように、トップヨーク３８ｂを上方からボトムヨーク３８ａと対向する位置に配置し、固定孔３９およびスポイラ５０の透孔６１を通して固定ねじ７２をベースにねじ込み、スポイラ５０およびトップヨーク３８ｂの端部をベースに固定する。この際、トップヨーク３８ｂの磁気ディスク１６側の端部をスポイラ５０の本体５２および板金５６に被せて配置する。これにより、スポイラ５０の本体および板金５６は、ボトムヨーク３８ａとトップヨーク３８ｂとの間に保持され、かつ、磁気ディスク１６の外周縁近傍で、この外周縁と対向して位置する。
【００３１】
上記のように構成されたＨＤＤによれば、磁気ディスク１６が高速回転することによりその回転方向に沿った空気流が発生する。この空気流は、磁気ディスク１６の外周縁に僅かな隙間を置いて対向した側壁１２ｂの対向面１２ｃ、およびスポイラ５０の本体５２により整流され、更に、磁気ディスク１６の表面上に生じる空気流は、スポイラ５０の整流板５４により整流される。これにより、乱流の発生を抑制し、ディスクフラッターを低減することができる。また、キャリッジアッセンブリ２２に当たる風外乱が抑制される。そのため、風乱による磁気ディスクの振動を低減し、およびサスペンション３０の外乱変位を低減することができ、磁気ディスクに対する磁気ヘッドの位置決め精度が向上する。
【００３２】
更に、スポイラ５０の本体５２に設けられた板金５６により、磁石４０から発生する磁束の磁気ディスク１６側への漏洩を防止することが可能となる。そのため、従来構造ではこの位置に必要であった磁気ディスク側への漏洩磁束を防止するリターンヨークが不要となる。これにより、スポイラ５０とヨーク３８との組立時および設置時の干渉関係を気にすることなく、スポイラ形状およびヨーク形状、その固定方法を自由に設計可能となる。磁気ディスク側のリターンヨークが不要となることで、トップヨーク３８ｂを固定孔３９位置のような磁気ディスク近傍位置でヨークをベース１２に固定する磁気回路構成がも可能となる。トップヨーク３８ｂのねじ固定位置に自由度が増すと、ヨークの共振周波数コントロールによる磁気ヘッドの発振回避ならびにヨーク残留振動による装置パフォーマンス低下等の耐振動対策設計に反映でき非常に有効である。すなわち、このような磁気回路固定方法とすることには多大なメリットが得られる。
【００３３】
また、スポイラ５０の本体５２に板金を設ける副次的効果として、温度収縮によるスポイラ変形量の低減やスポイラ樹脂成形時の寸法精度の向上も期待できる。
【００３４】
以上のことから、本実施形態によれば、スポイラおよびヨーク形状、その固定方法の設計自由度が増すとともに、ディスク側の磁束漏洩を防止し、高性能で信頼性の向上したディスク装置を提供することが可能となる。
【００３５】
次に、他の実施形態に係るＨＤＤについて説明する。なお、以下に説明する他の実施形態において、前述した第１の実施形態と同一の部分には、同一の参照符号を付してその詳細な説明を省略し、第１の実施形態と異なる部分を中心に詳しく説明する。
【００３６】
（第２の実施形態）  
第２の実施形態に係るＨＤＤについて説明する。  
図１０ないし図１２は、第２の実施形態に係るＨＤＤのスポイラおよびヨークの組立工程を示し、図１３は、組立てられたヨークおよびスポイラの板金を示している。
【００３７】
第２の実施形態は、スポイラ５０をスライド挿入し組立てる構成としている。最初に、図１０に示す位置でボトムヨーク３８ａを筐体内で底壁上にネジ止め固定する。本実施形態において、ボトムヨーク３８ａの磁気ディスク１６側の端部上面に当接リブ７０ａが一体に突設されている。当接リブ７０ａは、磁気ディスク１６の接線方向とほぼ平行に延びているとともに、ボトムヨーク３８ａから上方、つまり、トップヨーク３８ｂ側に突出している。同様に、トップヨーク３８ｂの磁気ディスク１６側の端部下面に当接リブ７０ｂが一体に突設されている。当接リブ７０ｂは、磁気ディスク１６の接線方向とほぼ平行に延びているとともに、トップヨーク３８ｂから下方、つまり、ボトムヨーク３８ａ側に突出している。
【００３８】
図１０に示すように、スポイラ５０は磁気ディスク１６の外周縁と干渉しない位置から矢印Ｆの向きに磁気ディスク間へ図１１に示す位置までスライド挿入される。この時、スポイラ５０の本体５２に埋め込まれた板金５６がボトムヨーク３８ａ上に設けられた当接リブ７０ａと接地するように組み立てる。また、本実施形態では、固定部６０の支持軸は省略されている。
【００３９】
最後に、図１２に示すように、トップヨーク３８ｂを上部から配置し、トップヨーク３８ｂの固定孔３９およびスポイラ５０の透孔６１を通して固定ねじ７２をベースの底壁にねじ込み、スポイラ５０の固定部６０およびトップヨーク３８ｂの端部をベースに固定する。
【００４０】
図１３に示すように、第２の実施形態によれば、トップヨーク３８ｂにもボトムヨークと同様の当接リブ（リブ状突起）７０ｂがあり、ボトムヨーク３８ａとトップヨーク３８ｂとの間に収まるスポイラ５０の板金５６が、ボトムヨーク３８ａおよびトップヨーク３８ｂに形成された当接リブ７０ａ、７０ｂと接地する。このような接地する構成をとることで磁気的な閉区間を形成することができ、磁石４０から発生した漏洩磁束が、ヨークと板金の隙間から回折し磁気ディスク１６側へ漏洩することを防ぐことが可能となるため、より高い遮蔽効果が得られる。
【００４１】
板金（シールド板、磁気シールド部材）５６による漏洩磁束の遮蔽効果について、磁場解析シミュレーションを行い検証した。図１４、図１５、図１６に、漏洩磁束密度分布のシミュレーション結果を示す。図１４は、ヨークと磁気ディスクとの間にリターンヨーク等のシールド部材が無い比較例の場合、図１５は、厚さ１．０ｍｍの板金５６を使用し第１の実施形態を適用した場合、図１６は、厚さ０．５ｍｍの板金５６を使用し第２の実施形態を適用した場合、のそれぞれの解析結果である。板金５６の材料は一般的なステンレス材を使用し解析した。図中×印で示す点は、磁気ディスク最外周の記録エリアに相当する位置を示しており、この点における磁束密度解析結果を図中に数値で示している。
【００４２】
図１５に示す第１の実施形態を適用した場合、漏洩磁束の広がりは小さくなり、厚さ１．０ｍｍの板金５６を使用することで、磁気ディスク最外周の記録エリアにおける磁束密度が比較例に比べて３割程度低減する効果が得られている。ただし、ヨークと板金５６との間には磁性体のない僅かな磁気的隙間が存在するため、ある程度隙間から回折し漏れ広がる様子も確認できる。一方、図１６に示す第２の実施形態を適用した場合には、厚さ０．５ｍｍと薄い板金５６を使用しても、板金５６がヨーク３８に接地しており磁気的な隙間がないため、磁気ディスク側への磁束の漏れ広がりが図１５に示す場合よりもさらに抑えられ、磁気ディスク最外周の記録エリアにおける磁束密度は６割程度低減する非常に高い遮蔽効果が得られることが解る。
【００４３】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４４】
例えば、スポイラ組立方法は回転挿入、スライド挿入に限定されず自由な組立方法で実現してよい。ヨーク固定位置は必ずしもスポイラ固定位置と一致させなくてもよく、個別に固定位置を設けてもよい。また、スポイラに挿入された板金は、例えばマグネット側へより近づくよう配置してもよいし、磁気ディスク側へ近づくように配置し、必ずしもヨーク間に収められなくてもよい。シールド部材としての板金は、折り曲げられた板金や複数枚の板金をスポイラに適用し実現してもよい。板金は、スポイラの本体内に埋め込むことなく、本体の外面に固定する構成としてもよい。シールド部材は、磁束漏洩を防止する形状であれば、板状に限らず、他の形状としてもよい。磁気ディスクの枚数は、３枚に限らず、２枚あるは４枚以上としてもよい。スポイラの整流板の数は、磁気ディスクの枚数に応じて増減可能である。
【符号の説明】
【００４５】
１０…ケース、１２…ベース、１２ａ…底壁、１２ｂ…側壁、１２ｃ…対向面、
１３…トップカバー、１６…磁気ディスク、１７…磁気ヘッド、
１８…スピンドルモータ、２２…キャリッジアッセンブリ、２４…ＶＣＭ、
３８…ヨーク、３８ａ…ボトムヨーク、３８ｂ…トップヨーク、
３８ｃ、３８ｄ…リターンヨーク、４０…磁石、５０…スポイラ、５２…本体、
５４…整流板、  ５６…板金、６０…固定部、６１…固定孔、６２…支持軸、
７０ａ、７０ｂ…当接リブ
【図１】
2013149326.tif 000003
【図２】
2013149326.tif 000004
【図３】
2013149326.tif 000005
【図４】
2013149326.tif 000006
【図５】
2013149326.tif 000007
【図６】
2013149326.tif 000008
【図７】
2013149326.tif 000009
【図８】
2013149326.tif 000010
【図９】
2013149326.tif 000011
【図１０】
2013149326.tif 000012
【図１１】
2013149326.tif 000013
【図１２】
2013149326.tif 000014
【図１３】
2013149326.tif 000015
【図１４】
2013149326.tif 000016
【図１５】
2013149326.tif 000017
【図１６】
2013149326.tif 000018